(57)【要約】【課題】液晶装置の非表示時において逆転移を防ぐとともに消費電力を削減する。【解決手段】液晶装置７００は、複数の走査線２０と、複数のデータ線１０と、それらの交差に対応して設けられた複数の液晶素子６０を備える。この液晶素子６０にはＯＣＢ液晶が用いられる。液晶装置７００は、画像を表示する表示モードと画像を非表示とする非表示モードで動作する。データ線駆動回路１２０は、前記非表示モードにおいて、書込電圧として基準電位Ｖcomを基準として極性を水平走査期間の周期で反転させた所定電圧をデータ線１０に供給する。走査線駆動回路１１０は、非表示モードにおける走査線の選択期間、即ち、水平走査期間の長さを表示モードと比較して長く設定する。【選択図】図１
2008224924.tif 000002
【特許請求の範囲】
【請求項１】
複数の走査線と、複数のデータ線と、前記走査線と前記データ線との交差に対応して設けられた複数の画素回路とを備え、前記複数の画素回路の各々は、第１電極と基準電位が供給される第２電極と、前記第１電極と前記第２電極との間に挟持された液晶とを備えた液晶素子を有し、前記液晶には、配向の状態として初期状態である第１の配向と表示用の第２の配向があり、前記第２の配向を維持するために所定電圧を印加する必要があり、画像を表示する表示モードと画像を非表示とする非表示モードとを備えた液晶装置であって、
前記複数の走査線を単位期間ごとに所定の順序で選択する走査線駆動手段と、
選択された走査線に対応する前記画素回路に前記データ線を介して書込電圧を供給するデータ線駆動手段とを備え、
前記データ線駆動手段は、
前記非表示モードにおいて、前記書込電圧として前記基準電位を基準として極性を前記単位期間の整数倍の周期で反転させた前記所定電圧を前記データ線に供給し、
前記走査線駆動手段は、前記非表示モードにおいて前記表示モードと比較して長い前記単位時間で前記走査線を選択する、
ことを特徴とする液晶装置。
【請求項２】
前記走査線駆動手段は、前記表示モードにおいて、複数の前記単位期間からなる１フレーム期間で、前記複数の走査線の各々を２回選択し、
前記データ線駆動手段は、前記表示モードにおいて、１フレーム期間において前記書込電圧として階調電圧を前記データ線に供給する期間と、前記書込電圧として前記所定電圧を前記データ線に供給する期間とを混在させる、
ことを特徴とする液晶装置。
【請求項３】
前記液晶は、ＯＣＢ（Optical Compensated Bend）方式の液晶であり、前記第１の配向はスプレイ配向であり、前記第２の配向はベンド配向であることを特徴とする請求項１または２に記載の液晶装置。
【請求項４】
前記表示モードで点灯し、前記非表示モードで消灯するバックライトをさらに備えることを特徴とする請求項１乃至３のうちいずれか１項に記載の液晶装置。
【請求項５】
第１クロック信号と第２クロック信号とを生成する制御手段を備え、
前記走査線駆動手段は、前記第１クロック信号に同期して動作し、
前記データ線駆動手段は、前記第２クロック信号に同期して動作し、
前記制御手段は、前記非表示モードにおいて、前記第１クロック信号の周波数を前記表示モードと比較して低く設定し、前記非表示モードにおいて、前記第２クロック信号の周波数を前記表示モードと比較して低く設定する、
ことを特徴とする請求項１乃至４のうちいずれか1項に記載の液晶装置。
【請求項６】
請求項１乃至５のうちいずれか１項に記載の液晶装置を備えた電子機器。
【請求項７】
複数の走査線と、複数のデータ線と、前記走査線と前記データ線との交差に対応して設けられた複数の画素回路とを備え、前記複数の画素回路の各々は、第１電極と基準電位が供給される第２電極と、前記第１電極と前記第２電極との間に挟持された液晶とを備えた液晶素子を有し、前記液晶には、配向の状態として初期状態である第１の配向と表示用の第２の配向があり、前記第２の配向を維持するために所定電圧を印加する必要がある液晶装置を、画像を表示する表示モードと画像を非表示とする非表示モードとで駆動する液晶装置の駆動方法であって、
前記表示モードにおいて、前記複数の走査線を単位期間ごとに所定の順序で選択し、選択された走査線に対応する前記画素回路に、前記データ線を介して書込電圧を供給し、
前記非表示モードにおいて、前記複数の走査線を単位期間ごとに所定の順序で選択し、選択された走査線に対応する前記画素回路に、前記データ線を介して前記基準電位を基準として極性を前記単位期間の整数倍の周期で反転させた前記所定電圧を供給し、
前記非表示モードにおける前記単位期間の長さを前記表示モードと比較して長くする、
ことを特徴とする液晶装置の駆動方法。
【発明の詳細な説明】
【技術分野】
【０００１】
本発明は、配向状態としてベンド配向およびスプレイ配向を有する液晶を用いた液晶装置、その駆動方法および電子機器に関する。
【背景技術】
【０００２】
液晶の透過率の変化により表示を行う液晶装置は、情報処理装置やテレビジョン、携帯電話などの電子機器の表示装置として広く用いられている。液晶装置では、行方向に延在する走査線と、列方向に延在するデータ線との交差に対応して画素電極が形成される。また、当該交差部分にあって画素電極とデータ線との間に、走査線に供給される走査信号にしたがってオンオフする薄膜トランジスタ（以下、ＴＦＴ：Thin Film Transistorと称する。）などの画素スイッチが介挿される。さらに、液晶を介して画素電極と対向するように対向電極が設けられる。画素電極と対向電極との間の印加電圧に応じて液晶の配向状態が変化する。これによって、画素における透過光量が変化し、所定の表示が可能になる。
【０００３】
新たな表示方式として近年開発が進められているＯＣＢ（Optical Compensated Bend）方式の液晶は、２種類の配向状態、すなわち、スプレイ配向とベンド配向とを有する。ベンド配向は画像の表示に適し、従来のＴＮ（Twisted Nematic）液晶と比較して高速な応答が可能である。初期状態、すなわち、印加電圧が０Ｖである状態が長時間継続した状態では、ＯＣＢ液晶は画像の表示に適さないスプレイ配向となっている。このため、画像の表示に際しては、電源投入時等に初期転移動作を行ない、液晶分子をベンド配向に転移させる必要がある。初期転移動作におけるスプレイ配向からベンド配向への転移は、一定時間高電圧を印加することで行われる。
【０００４】
ＯＣＢ液晶は、初期転移動作により一旦ベンド配向に転移しても、所定レベル以上の電圧が印加されない状態が続くとベンド配向が維持できず、スプレイ配向に戻ってしまう。この現象は逆転移と呼ばれる。特許文献１には、逆転移の発生を抑圧するために、画像データと高電位差状態の非画像データとを交互に液晶画素に書き込むことが記載されている。ノーマリホワイトのＯＣＢ液晶では、高電位差状態は黒表示に相当することから、ベンド配向を維持するために非画像データを挿入することは黒挿入とも称される。
【特許文献１】特開２００２−３２８６５４号公報
【発明の開示】
【発明が解決しようとする課題】
【０００５】
上述のように液晶装置は、情報処理機器、携帯電話機などの電子機器の表示装置として広く用いられている。このような電子機器では表示装置を常時表示状態に保つのではなく、状況に応じて非表示とすることで消費電力を削減したり、表示装置の劣化を防ぐようにすることがよく行われる。
【０００６】
非表示状態では、画像データを書き込む必要がないため、液晶画素への電圧供給を停止させることも考えられる。しかし、電圧供給を停止すると逆転移が起こってしまい、表示状態に戻る場合に再度初期転移動作が必要となる。一般に初期転移動作には数秒程度要するため、表示状態に復帰するまでに時間がかかることになる。そこで、迅速に表示状態に戻るためには、非表示状態においてもベンド配向を維持するために黒挿入を行うことが必要である。このため、非表示状態においても黒挿入動作のための電力が消費されることになる。
【０００７】
本発明は、このような事情に鑑みてなされたものであり、液晶装置の非表示時において逆転移を防ぐとともに、消費電力を削減することを目的とする。
【課題を解決するための手段】
【０００８】
上述した課題を解決するため、本発明に係る液晶装置は、複数の走査線と、複数のデータ線と、前記走査線と前記データ線の交差に対応して設けられた複数の画素回路とを備え、前記複数の画素回路の各々は、第１電極と基準電位が供給される第２電極と、前記第１電極と前記第２電極との間に挟持された液晶とを備えた液晶素子を有し、前記液晶には、配向の状態として初期状態である第１の配向と表示用の第２の配向があり、前記第２の配向を維持するために所定電圧を印加する必要があり、画像を表示する表示モードと画像を非表示とする非表示モードとを備えたものであって、前記複数の走査線を単位期間ごとに所定の順序で選択する走査線駆動手段と、選択された走査線に対応する前記画素回路に前記データ線を介して書込電圧を供給するデータ線駆動手段とを備え、前記データ線駆動手段は、前記非表示モードにおいて、前記書込電圧として前記基準電位を基準として極性を前記単位期間の整数倍の周期で反転させた前記所定電圧を前記データ線に供給し、前記走査線駆動手段は、前記非表示モードにおいて前記表示モードと比較して長い前記単位時間で前記走査線を選択することを特徴とする。
【０００９】
この発明によれば、画像を非表示とする非表示モードにおいても液晶の配向状態を第２の配向を維持するために所定電圧を液晶に印加する。液晶は交流電圧を印加する交流駆動によって駆動される。非表示モードにおける交流駆動では、書込電圧として基準電位を基準として極性を単位期間の整数倍の周期で反転させた所定電圧をデータ線に供給する。非表示モードにおける単位期間の長さを表示モードと比較して長くするので、データ線の寄生容量に対する単位時間あたりの充放電の回数を低減することができる。この結果、充放電に伴う消費電力を削減することができる。
【００１０】
上述した液晶装置において、前記走査線駆動手段は、前記表示モードにおいて、複数の前記単位期間からなる１フレーム期間で、前記複数の走査線の各々を２回選択し、前記データ線駆動手段は、前記表示モードにおいて、１フレーム期間において前記書込電圧として階調電圧を前記データ線に供給する期間と、前記書込電圧として前記所定電圧を前記データ線に供給する期間とを混在させることが好ましい。この場合、表示モードにおける駆動には、以下の態様が含まれる。第１の態様は、表示モードにおける1フレーム期間を第１期間と第２期間に分割し、第１期間および第２期間の各々において、走査線を順次選択する。そして、第１期間では、選択された走査線に対応する液晶素子に表示すべき階調に応じた階調電圧を単位期間ごとに基準電位を基準として極性を反転して供給し、第２期間では、選択された走査線に対応する液晶素子に所定電圧を単位期間ごとに基準電位を基準として極性を反転して供給する（図３参照）。また、第２の態様では、ある単位期間にある走査線を選択して階調電圧をデータ線を介して供給し、次の単位期間に当該走査線と異なる走査線を選択し前記階調電圧と極性が同じ所定電圧を供給する（図４参照）。第２の態様では、データ線の寄生容量に対する充放電の電圧幅を減らすことできるので、表示モードにおける消費電力を削減することができる。
【００１１】
また、液晶の具体的な態様としては、ＯＣＢ（Optical Compensated Bend）方式の液晶であり、前記第１の配向はスプレイ配向であり、前記第２の配向はベンド配向であることが好ましい。ＯＣＢ液晶は印加電圧に対する透過率の応答時間が短いので、動画を高品質で表示することができる。
また、上述した液晶装置において、前記表示モードで点灯し、前記非表示モードで消灯するバックライトをさらに備えることが好ましい。この場合、液晶装置は透過型で構成されるが、非表示モードにおいてバックライトを消灯できるので、非表示モードの消費電力を削減することができる。
【００１２】
上述した液晶装置において、第１クロック信号と第２クロック信号とを生成する制御手段を備え、前記走査線駆動手段は、前記第１クロック信号に同期して動作し、前記データ線駆動手段は、前記第２クロック信号に同期して動作し、前記制御手段は、前記非表示モードにおいて、前記第１クロック信号の周波数を前記表示モードと比較して低く設定し、前記非表示モードにおいて、前記第２クロック信号の周波数を前記表示モードと比較して低く設定することが好ましい。この場合は、クロック信号の周波数を制御対象とすることで、単位時間の長さを調整することができる。
【００１３】
次に、本発明に係る電子機器は上述した液晶装置を備えることを特徴とする。このような液晶装置としては、例えば、パーソナルコンピュータ、携帯電話機、あるいは携帯情報端末が該当する。
【００１４】
次に、本発明に係る液晶装置の駆動方法は、複数の走査線と、複数のデータ線と、前記走査線と前記データ線の交差に対応して設けられた複数の画素回路とを備え、前記複数の画素回路の各々は、第１電極と基準電位が供給される第２電極と、前記第１電極と前記第２電極との間に挟持された液晶とを備えた液晶素子を有し、前記液晶には、配向の状態として初期状態である第１の配向と表示用の第２の配向があり、前記第２の配向を維持するために所定電圧を印加する必要がある液晶装置を、画像を表示する表示モードと画像を非表示とする非表示モードとで駆動する方法であって、前記表示モードにおいて、前記複数の走査線を単位期間ごとに所定の順序で選択し、選択された走査線に対応する前記画素回路に、前記データ線を介して書込電圧を供給し、前記非表示モードにおいて、前記複数の走査線を単位期間ごとに所定の順序で選択し、選択された走査線に対応する前記画素回路に、前記データ線を介して前記基準電位を基準として極性を前記単位期間の整数倍の周期で反転させた前記所定電圧を供給し、前記非表示モードにおける前記単位期間の長さを前記表示モードと比較して長くすることを特徴とする。この発明によれば、非表示モードにおける単位期間の長さを表示モードと比較して長くするので、データ線の寄生容量に対する単位時間あたりの充放電の回数を低減することができる。この結果、充放電に伴う消費電力を削減することができる。
【発明を実施するための最良の形態】
【００１５】
＜１．実施形態＞
図１に実施形態に係る液晶装置のブロック図を示す。この液晶装置７００は電気光学材料として液晶を用いる。液晶装置７００は、主要部として液晶パネルＡＡを備える。液晶パネルＡＡは、スイッチング素子としてＴＦＴを形成した素子基板と対向基板とを互いに電極形成面を対向させて、かつ、一定の間隙を保って貼付し、この間隙に液晶が挟持されている。この例の液晶はＯＣＢ液晶である。
【００１６】
また、液晶装置７００は、タイミング制御回路１３０、画像処理回路１４０、メイン制御回路１５０およびバックライト１６０を備える。液晶パネルＡＡの素子基板上には、画像表示領域Ａ、走査線駆動回路１１０およびデータ線駆動回路１２０が形成されている。メイン制御回路１５０は、アナログ形式で外部装置から供給される入力画像信号Ｖｉｎをデジタル信号に変換し、入力画像データＤｉｎとして画像処理回路１４０に供給する。また、メイン制御回路１５０はバックライト１６０の点灯制御を行う。
【００１７】
メイン制御回路１５０から画像処理回路１４０に供給される入力画像データＤｉｎは、例えば、２４ビットパラレルの形式である。タイミング制御回路１３０は、画像処理回路１４０から供給される水平走査信号や垂直走査信号などの制御信号に同期して、Ｙクロック信号ＹＣＫ、Ｘクロック信号ＸＣＫ、Ｙ転送開始パルスＤＹ、およびＸ転送開始パルスＤＸを生成して、走査線駆動回路１１０およびデータ線駆動回路１２０に供給する。また、タイミング制御回路１３０は、画像処理回路１４０を制御する各種のタイミング信号を生成し、これを出力する。
ここで、Ｙクロック信号ＹＣＫは、走査線２０を選択する期間を特定し、Ｘクロック信号ＸＣＫは、データ線１０を選択する期間を特定する。これらのクロックは、タイミング制御回路１３０の動作の基準となる駆動周波数に基づいて生成される。また、Ｙ転送開始パルスＤＹは走査線２０の選択開始を指示するパルスであり、Ｘ転送開始パルスＤＸはデータ線１０の選択開始を指示するパルスである。
【００１８】
後述するように、本実施形態では、表示モードの駆動周波数と、非表示モードの駆動周波数とを切り替えられるようになっている。非表示モードの駆動周波数は、液晶装置７００での画像表示を行わない場合の周波数であり、表示モードの周波数より遅い周波数である。メイン制御回路１５０には、表示モードと非表示モードを識別するための識別信号ＤＥＮが液晶装置７００外部から入力される。この信号に基づいてモードを判別し、画像処理回路１４０およびタイミング制御回路１３０に駆動周波数の切り替えを指示する。なお、外部からの識別信号ＤＥＮに限られず、入力画像信号Ｖｉｎ等に基づいてメイン制御回路１５０自身がモードを識別するようにしてもよい。
画像処理回路１４０は、メイン制御回路１５０から供給される入力画像データＤｉｎに、液晶パネルＡＡの光透過特性を考慮したガンマ補正等を施した後、ＲＧＢ各色の画像データをＤ／Ａ変換して、画像信号ＶＩＤを生成して液晶パネルＡＡに供給する。
【００１９】
図２に画像表示領域Ａの詳細な構成を示す。画像表示領域Ａには、ｍ（ｍは１以上の自然数）本の走査線２０が、Ｘ方向に沿って平行に配列して形成される一方、ｎ（ｎは１以上の自然数）本のデータ線１０が、Ｙ方向に沿って平行に配列して形成されている。そして、データ線１０と走査線２０との交差に対応してｍ×ｎ個の画素回路Ｐが配列される。
同図に示すように画素回路Ｐは、液晶素子６０およびＴＦＴ５０を備える。液晶素子６０は画素電極６１と対向電極６２との間にＯＣＢ液晶を挟持して構成される。対向電極６２には基準電位Ｖcomが供給される。ＴＦＴ５０のゲート電極は走査線２０に電気的に接続され、そのドレイン電極またはソース電極の一方がデータ線１０に電気的に接続され、他方が画素電極６１に電気的に接続される。
【００２０】
図１に示すデータ線駆動回路１２０は、データ信号Ｘ１〜Ｘｎをｎ本のデータ線１０に出力する。液晶装置では、一般に交流駆動が行われている。信号の極性を対向電極６２の基準電位Ｖcomを基準として高電位を正極性、低電位を負極性と定めると、本実施形態では、走査線２０、及び、データ線１０のライン単位で液晶に印加する電圧を反転するライン毎反転と、フレーム単位で反転するフレーム毎反転とを組み合わせたドット反転駆動を行っている。なお、ライン毎反転およびフレーム毎反転のいずれか、あるいは、他の駆動方法を用いるようにしてもよい。
【００２１】
各走査線２０には、走査線駆動回路１１０から、走査信号Ｙ１、Ｙ２、…、Ｙｍが、パルス的に順次印加されるようになっている。このため、ある走査線２０に走査信号が供給されると、当該行の画素回路ＰにおいてＴＦＴ５０がオン状態となり、データ線１０を介して供給されるデータ信号が液晶素子６０に書き込まれる。各画素に印加される電圧レベルに応じて液晶分子の配向や秩序が変化するので、光変調による階調表示が可能となる。
【００２２】
例えば、液晶を通過する光量は、ノーマリーホワイトモードであれば、印加電圧が高くなるにつれて制限される一方、ノーマリーブラックモードであれば、印加電圧が高くなるにつれて緩和されるので、液晶装置７００全体では、画像信号に応じたコントラストを持つ光が画素毎に出射される。この例の液晶装置７００はノーマリホワイトである。このため、印加電圧が高い状態では黒が表示されることになる。なお、保持された画像信号がリークするのを防ぐために、保持容量を画素電極６１と対向電極６２との間に形成される液晶容量と並列に付加してもよい。
【００２３】
ここで、表示モードと非表示モードとについて説明する。一般に、液晶装置７００を表示装置として用いた電子機器では、表示装置を常時表示状態に保つのではなく、状況に応じて非表示とすることで消費電力を削減したり、表示装置の劣化を防ぐようにすることがよく行われる。ここでは、表示状態での駆動を表示モードと称し、非表示状態での駆動を非表示モードと称する。
【００２４】
表示モードから非表示モードへの移行条件は、所定期間操作を受け付けなかったり同じ画面が所定時間表示され続けた場合、液晶装置７００の表示面がカバーで覆われたり閉じられたりした場合、操作者からの非表示指示を受け付けた場合等とすることができる。このために、液晶装置７００を備えた電子機器は、タイマ、センサ等の検出機能を有する。
一方、非表示モードから表示モードへの移行条件は、操作を受け付けたり画面表示を変更する場合、覆われていたカバーが外されたり開かれた場合、操作者からの表示指示を受け付けた場合等とすることができる。なお、非表示モードにおいては、バックライト１６０をオフにすることが消費電力削減の観点から望ましい。
【００２５】
次に、表示モードおよび非表示モードにおける液晶装置７００の駆動タイミングについて説明する。まず、簡単のため、黒挿入パターンが単純な図３を参照して説明する。本図は、識別信号ＤＥＮと、走査信号Ｙ１、Ｙ２、Ｙ３…と、データ信号との関係を示している。
本例では、走査信号はＹ１〜Ｙ８の８ラインとし、データ信号はライン毎の極性反転を行っている。また、データ信号は奇数番目（ＯＤＤ）の画素と偶数番目（ＥＶＥＮ）の画素とが互い違いの極性で、かつ、フレーム毎に極性が反転するように駆動される。すなわち、ドット反転駆動を行っている。識別信号ＤＥＮはハイ（High）で表示モードを示し、ロウ（Low）で非表示モードを示すものとする。
【００２６】
本図に示すように表示モードでは、１フレームの前半で、走査信号（Ｙ１〜Ｙ８）に同期してライン毎の画像データの書込を順次行う。その後、１フレームの後半で、いわゆる黒挿入を行う。すなわち、非画像データとして黒データの書込を走査信号（Ｙ１〜Ｙ８）に同期して順次行ない、逆転移を防いでいる。表示モードでは、このような画像データの書込と逆転移防止用の非画像データの書込とが交互に繰り返し行われる。
【００２７】
識別信号ＤＥＮがロウになると、表示モードから非表示モードに移行する。本図に示すように非表示モードでは、画像データの書込は行わず、逆転移防止用の黒データの書込だけを行う。本実施形態では、このときに、駆動周波数を下げて各走査信号の幅を広げるようにする。具体的には、非表示モードでは、Ｙクロック信号ＹＣＫ（第１クロック信号）の周波数を表示モードと比較して下げる。そして、この走査信号に合わせて黒データを示すデータ信号の同期をとるようにする。具体的には、Ｙクロック信号ＹＣＫと同期したＸクロック信号ＸＣＫ（第２クロック信号）を生成する。すなわち、非表示モードでは、Ｘクロック信号ＸＣＫの周波数を表示モードと比較して下げている。
【００２８】
一般にデータ線１０は容量性の負荷を有している。上述したように本実施形態では、ライン単位で反転する駆動を採用するので、あるデータ線１０に着目すると、そこに供給されるデータ信号の極性は、基準電位Ｖcomを基準として１水平走査期間（単位期間）ごとに反転することになる。本実施形態では、１水平走査期間の長さを非表示モードでは表示モードと比較して長く設定している。このため、データ線１０の寄生容量に対する単位時間あたりの充放電の回数は非表示モードの方が少なくなる。したがって、データ線１０の寄生容量に対して充放電を行うことに伴う消費電力を低減できる。なお、非表示モードにおける駆動周波数は、黒挿入で書き込む黒データの電圧との関係で逆移転を防ぐのに足りる周波数を確保するものとする。これにより、非表示モードにおいて逆転移を防ぐとともに、消費電力の削減を実現することができる。
【００２９】
次に、図４に他の駆動の例を示す。この例は、表示モードにおける黒挿入のパターンが上述した図３に示す例と相違する。すなわち、表示モードにおいて、異なるライン（例えば、Ｙ１とＹ５、Ｙ２とＹ６…）の画像データ書込と逆転移防止用の非画像データの書込とが続けて行われる。ライン単位で反転する駆動を行う場合、ある走査線に対応する液晶素子に印加される書込電圧の極性と次の走査線に対応する液晶素子６０に印加される書込電圧の極性とは反転する。このため、図３に示す例では、１垂直走査期間（１フレーム期間）の前半に割り当てられた画像データを書き込む期間において１水平走査期間ごとにデータ線に印加する電圧が反転し、且つ、１垂直走査期間の後半に割り当てられた非画像データを書き込む期間において１水平走査期間ごとにデータ線に印加する電圧が反転する。
これに対して、図４に示す例では、表示モードにおいて、ある走査線を選択して画像データを液晶素子６０に書き込んだ後、異なる走査線を選択して極性が同じになる黒データを液晶素子６０に書き込む。これにより、データ線２０の寄生容量に対する充放電の電圧幅を低減することができるので、表示モードにおける消費電力を削減することができる。
【００３０】
識別信号ＤＥＮがロウになると、表示モードから非表示モードに移行する。非表示モードにおいては図３に示した例と同様の駆動制御とすることができる。すなわち、非表示モードでは、画像データの書込は行わず、逆転移防止用の黒データの書込だけを行う。このときに、駆動周波数を下げて各走査信号の幅を広げるようにする。そして、この走査信号に合わせて黒データを示すデータ信号の同期をとるようにする。これにより、本例の場合も、非表示モードにおいて逆転移を防ぐとともに、消費電力の削減を実現することができる。
【００３１】
なお、上述した実施形態では１走査線単位で液晶素子６０に対する書込電圧の極性を、基準電位Ｖcomを基準として反転させる駆動を一例として説明したが、本発明はこれに限定されるものでなく、所定数の走査線ごとに書込電圧の極性を反転させてもよい。この場合、データ線駆動回路１２０は、表示モードにおいて、書込電圧として基準電位を基準として極性を水平走査期間の整数倍の周期で反転させた画像データ（表示すべき階調に応じた階調電圧）をデータ線１０に供給し、非表示モードにおいて、書込電圧として基準電位を基準として極性を水平走査期間の整数倍の周期で反転させた黒データ（所定電圧）をデータ線１０に供給すればよい。
【００３２】
＜２．電子機器＞
次に、本発明に係る液晶装置７００を利用した電子機器について説明する。図５は、以上に説明した何れかの形態に係る液晶装置７００を表示装置として採用したモバイル型のパーソナルコンピュータの構成を示す斜視図である。パーソナルコンピュータ２０００は、表示装置としての液晶装置７００と本体部２０１０とを備える。本体部２０１０には、電源スイッチ２００１およびキーボード２００２が設けられている。パーソナルコンピュータ２０００は、所定時間操作を受け付けなかった場合、液晶装置７００を収容したカバー部が閉じられた場合等に非表示モードに移行する。
【００３３】
図６に、実施形態に係る液晶装置７００を適用した携帯電話機の構成を示す。携帯電話機３０００は、複数の操作ボタン３００１およびスクロールボタン３００２、ならびに表示装置としての液晶装置７００を備える。スクロールボタン３００２を操作することによって、液晶装置７００に表示される画面がスクロールされる。携帯電話機３０００は、所定時間操作を受け付けなかった場合、折りたたみ式の本体が閉じられた場合等に非表示モードに移行する。
【００３４】
図７に、実施形態に係る液晶装置７００を適用した携帯情報端末（ＰＤＡ：Personal Digital Assistants）の構成を示す。情報携帯端末４０００は、複数の操作ボタン４００１および電源スイッチ４００２、ならびに表示装置としての液晶装置７００を備える。電源スイッチ４００２を操作すると、住所録やスケジュール帳といった各種の情報が液晶装置７００に表示される。情報携帯端末４０００は、所定時間操作を受け付けなかった場合等に非表示モードに移行する。
【００３５】
なお、本発明に係る液晶装置が適用される電子機器としては、図５から図７に示したもののほか、プロジェクタ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。
【図面の簡単な説明】
【００３６】
【図１】本発明の実施形態に係る液晶装置のブロック図である。
【図２】同装置の画像表示領域の詳細な構成を示すブロック図である。
【図３】液晶装置の駆動タイミングについて説明する波形図である。
【図４】液晶装置の駆動タイミングについて説明する波形図である。
【図５】電子機器の一例たるパーソナルコンピュータの斜視図である。
【図６】電子機器の一例たる携帯電話機の斜視図である。
【図７】電子機器の一例たる携帯情報端末の斜視図である。
【符号の説明】
【００３７】
１０…データ線、２０…走査線、６０…液晶素子、６１…画素電極、６２…対向電極、１１０…走査線駆動回路、１２０…データ線駆動回路、１３０…タイミング制御回路、１４０…画像処理回路、１５０…メイン制御回路、１６０…バックライト、７００…液晶装置、２０００…パーソナルコンピュータ、３０００…携帯電話機、４０００…情報携帯端末。
【図１】
2008224924.tif 000003
【図２】
2008224924.tif 000004
【図３】
2008224924.tif 000005
【図４】
2008224924.tif 000006
【図５】
2008224924.tif 000007
【図６】
2008224924.tif 000008
【図７】
2008224924.tif 000009